(57)【要約】【課題】回路基板を小型化することができ、しかも接続端子に対する半田付けを電子部品に悪影響を与えることなく良好に行うことができる電子内視鏡の先端部を提供すること。【解決手段】回路基板８の電子部品取付部８Ａが、リード接続端子部８Ｂより凹んだ形状に形成されて先端が回路基板８の背面に固着され、リード接続端子部８Ｂが電子部品取付部８Ａの後側に隣接して形成され、信号線接続端子部８Ｃが、リード接続端子部８Ｂの後側に隣接してリード接続端子部８Ｂより凹んだ形状に形成されている。【選択図】      図１
2006061326.tif 000002
【特許請求の範囲】
【請求項１】
挿入部の先端に内蔵された固体撮像素子の背面側に回路基板が配置された電子内視鏡の先端部において、
上記回路基板に、上記固体撮像素子の駆動回路等を構成する電子部品が取り付けられる電子部品取付部と、上記固体撮像素子から後方に延出する複数のリードが接続されるリード接続端子部と、上記挿入部内に挿通配置された信号ケーブルの先端から前方に引き出された複数の信号線が接続される信号線接続端子部とが立体的に配置され、
上記電子部品取付部は、上記リード接続端子部より凹んだ形状に形成されて先端が上記回路基板の背面に固着され、上記リード接続端子部は上記電子部品取付部の後側に隣接して形成され、上記信号線接続端子部は、上記リード接続端子部の後側に隣接して上記リード接続端子部より凹んだ形状に形成されていることを特徴とする電子内視鏡の先端部。
【請求項２】
上記信号線接続端子部の断面形状が略矩形状に形成されていて、その外周全面に信号線接続端子が配置されている請求項１記載の電子内視鏡の先端部。
【発明の詳細な説明】
【技術分野】
【０００１】
この発明は電子内視鏡の先端部に関する。
【背景技術】
【０００２】
電子内視鏡においては一般に、挿入部の先端に内蔵された固体撮像素子の背面側に回路基板が配置されていて、その回路基板に、固体撮像素子の駆動回路等を構成する電子部品が取り付けられる電子部品取付部と、固体撮像素子から後方に延出する複数のリードが接続されるリード接続端子部と、挿入部内に挿通配置された信号ケーブルの先端から前方に引き出された複数の信号線が接続される信号線接続端子部とが設けられている（例えば、特許文献１、２）。
【特許文献１】特開２０００−８３８９６
【特許文献２】特開２０００−１９９８６３
【発明の開示】
【発明が解決しようとする課題】
【０００３】
しかし、上述のような従来の電子内視鏡においては、回路基板を小型化しようとすると、信号線接続端子どうしの間や信号線接続端子と電子部品との間等が接近しすぎて良好な半田付けをすることができなかったり、リード接続端子部の半田付け作業時の熱が電子部品に伝わって不良品を出してしまう場合があった。
【０００４】
そこで本発明は、回路基板を小型化することができ、しかも接続端子に対する半田付けを電子部品に悪影響を与えることなく良好に行うことができる電子内視鏡の先端部を提供することを目的とする。
【課題を解決するための手段】
【０００５】
上記の目的を達成するため、本発明の電子内視鏡の先端部は、挿入部の先端に内蔵された固体撮像素子の背面側に回路基板が配置された電子内視鏡の先端部において、回路基板に、固体撮像素子の駆動回路等を構成する電子部品が取り付けられる電子部品取付部と、固体撮像素子から後方に延出する複数のリードが接続されるリード接続端子部と、挿入部内に挿通配置された信号ケーブルの先端から前方に引き出された複数の信号線が接続される信号線接続端子部とが立体的に配置され、電子部品取付部は、リード接続端子部より凹んだ形状に形成されて先端が回路基板の背面に固着され、リード接続端子部は電子部品取付部の後側に隣接して形成され、信号線接続端子部は、リード接続端子部の後側に隣接してリード接続端子部より凹んだ形状に形成されているものである。
【０００６】
なお、信号線接続端子部の断面形状が略矩形状に形成されていて、その外周全面に信号線接続端子が配置されていてもよい。
【発明の効果】
【０００７】
本発明によれば、回路基板の電子部品取付部が、リード接続端子部より凹んだ形状に形成されて先端が回路基板の背面に固着され、リード接続端子部が電子部品取付部の後側に隣接して形成され、信号線接続端子部が、リード接続端子部の後側に隣接してリード接続端子部より凹んだ形状に形成されていることにより、回路基板を小型化することができ、しかも接続端子に対する半田付けを電子部品に悪影響を与えることなく良好に行うことができる。
【発明を実施するための最良の形態】
【０００８】
回路基板に、固体撮像素子の駆動回路等を構成する電子部品が取り付けられる電子部品取付部と、固体撮像素子から後方に延出する複数のリードが接続されるリード接続端子部と、挿入部内に挿通配置された信号ケーブルの先端から前方に引き出された複数の信号線が接続される信号線接続端子部とが立体的に配置され、電子部品取付部は、リード接続端子部より凹んだ形状に形成されて先端が回路基板の背面に固着され、リード接続端子部は電子部品取付部の後側に隣接して形成され、信号線接続端子部は、リード接続端子部の後側に隣接してリード接続端子部より凹んだ形状に形成されている。
【実施例】
【０００９】
図面を参照して本発明の実施例を説明する。
図２は、固体撮像素子５を内蔵する電子内視鏡の挿入部１の先端部分を示しており、挿入部１の先端に連結された先端部本体２の先端面には観察窓３等が配置されていて、観察窓３の奥に内蔵された対物光学系４による被写体の投影位置に、例えばＣＣＤ（電荷結合素子）からなる固体撮像素子５の撮像面６が配置されている。
【００１０】
対物光学系４と固体撮像素子５を保持する撮像ユニット枠７内には、例えばセラミックスからなるブロック体により形成された立体回路基板８が、固体撮像素子５の背面位置に固体撮像素子５に対して固定的に配置されている。
【００１１】
その部分を斜め後方から見た状態を図示する図１にも示されるように、立体回路基板８には、固体撮像素子５の駆動回路等を構成する電子部品９が取り付けられる電子部品取付部８Ａと、固体撮像素子５から後方に延出する複数のリード１１が接続されるリード接続端子部８Ｂと、挿入部１内に挿通配置された信号ケーブル１２の先端から前方に引き出された複数の信号線１３が接続される信号線接続端子部８Ｃとが立体的に配置されている。１４は電気絶縁性の補強板である。
【００１２】
電子部品取付部８Ａは、リード接続端子部８Ｂより段差状に凹んだ形状に形成されて先端部分が固体撮像素子５の背面に固着されており、電子部品取付部８Ａに取り付けられた例えばコンデンサやＩＣチップ等のような電子部品９が、固体撮像素子５の上下両端辺部分から後方のリード接続端子部８Ｂに向かって延出するリード１１の内側の空間に位置している。
【００１３】
リード接続端子部８Ｂは、電子部品取付部８Ａの後側に隣接して電子部品取付部８Ａより上下両方向に突出して形成されていて、その上下両端辺に、リード１１を半田付け接続するための複数のリード接続端子８１が並んで設けられている。
【００１４】
また、信号線接続端子部８Ｃは、リード接続端子部８Ｂの後側に隣接してリード接続端子部８Ｂより段差状に凹んだ形状に形成されており、図２におけるIII−III断面を図示する図３にも示されるように、信号線接続端子部８Ｃは略矩形状の断面形状に形成されていて、その外周全面に、信号線１３を半田付け接続するための複数の信号線接続端子８２が並んで設けられている。
【００１５】
また、信号線接続端子部８Ｃの上下両辺においては、隣り合う信号線接続端子８２の間を仕切る突出隔壁８３が立体回路基板８を構成するセラミック材を突出させて形成されていて、隣り合う信号線接続端子８２間の電気絶縁を完全なものにしている。
【００１６】
このように構成された実施例においては、電子部品９がリード１１の内側の空間内に配置され、さらに、リード接続端子８１と信号線接続端子８２とがリード接続端子部８Ｂの上下両辺と信号線接続端子部８Ｃの四辺とに立体的に配置されていることにより、立体回路基板８を小型化して挿入部１の先端の細径化を図ることができる。
【００１７】
また、リード接続端子部８Ｂに対して電子部品取付部８Ａと信号線接続端子部８Ｃが各々段差状に凹んだ形状に形成されていることにより、電子部品取付部８Ａに対する電子部品９の接続部とリード接続端子８１と信号線接続端子８２との間が各々段差によって立体的に分離されているので、各部の半田付けを各々リークの恐れなく良好に行うことができ、電子部品９に対して熱的に悪影響を与えることもない。
【図面の簡単な説明】
【００１８】
【図１】本発明の実施例の電子内視鏡の先端部の回路基板部分を斜め後方から見た状態の斜視図である。
【図２】本発明の実施例の電子内視鏡の挿入部の先端付近の側面断面図である。
【図３】本発明の実施例の電子内視鏡の先端部の図２におけるIII−III断面図である。
【符号の説明】
【００１９】
１  挿入部
２  先端部本体
５  固体撮像素子
８  立体回路基板
８Ａ  電子部品取付部
８Ｂ  リード接続端子部
８Ｃ  信号線接続端子部
９  電子部品
１１  リード
１２  信号ケーブル
１３  信号線
８１  リード接続端子
８２  信号線接続端子
【図１】
2006061326.tif 000003
【図２】
2006061326.tif 000004
【図３】
2006061326.tif 000005